(57)【要約】【課題】ユーザのスイッチ操作の癖に対応し、ユーザの意図するスイッチ操作を可能とするレバースイッチ装置を提供する。【解決手段】レバースイッチ装置１は、操作によりスイッチ部１２がオンオフ動作するレバー操作部であるワイパレバー１０と、ワイパレバー１０のスイッチオン動作に対応して駆動される負荷回路部であるリレー部３０、ワイパモータ４０と、スイッチ部１２のスイッチオンによりリレー部３０、ワイパモータ４０を駆動する制御を行なう制御部２０と、を有し、制御部２０は、スイッチ部１２のスイッチオンが継続する期間が所定の時間以上の場合にリレー部３０、ワイパモータ４０を駆動するように設定されたフィルタ時間Ｔ１を備え、フィルタ時間Ｔ１は、ワイパレバー１０の操作状態により補正されるように構成する。【選択図】図４
2018049781.tif 000002
【特許請求の範囲】
【請求項１】
操作によりスイッチ部がオンオフ動作するレバー操作部と、
前記レバー操作部のスイッチオン動作に対応して駆動される負荷回路部と、
前記スイッチ部のスイッチオンにより前記負荷回路部を駆動する制御を行なう制御部と、を有し、
前記制御部は、前記スイッチ部のスイッチオンが継続する期間が所定の時間以上の場合に前記負荷回路部を駆動するように設定されたフィルタ時間を備え、
前記フィルタ時間は、前記レバー操作部の操作状態により補正されることを特徴とするレバースイッチ装置。
【請求項２】
前記フィルタ時間は、前記レバー操作部の操作時間に基づいて補正されることを特徴とする請求項１に記載のレバースイッチ装置。
【請求項３】
前記フィルタ時間は、前記負荷回路部の負荷駆動時間に基づいて補正されることを特徴とする請求項１に記載のレバースイッチ装置。
【発明の詳細な説明】
【技術分野】
【０００１】
本発明は、レバースイッチ装置に関する。
【背景技術】
【０００２】
従来の技術として、車両に適用されるレバースイッチ装置としてのワイパスイッチ装置が知られている（例えば、特許文献１参照）。このワイパスイッチ装置は、運転者が意図しないワイパ動作を防止可能とするものである。
【０００３】
特許文献１のワイパスイッチ装置は、運転席近傍に配置された操作レバーにより指示される操作位置に基づいて、ワイパの払拭動作をオン／オフ制御すると共に、ワイパを連続的に払拭動作させる連続モードと、ワイパを間欠的に払拭動作させる間欠モードと、ワイパを所定回数だけ払拭動作させるミストモードと、を含む動作モードを切替制御することが可能な制御手段を少なくとも備えたワイパ制御装置であって、操作レバーがミストモード以外の操作位置からミストモードの操作位置に切り替えられる迄の経過時間を計時する第１の計時手段をさらに備え、第１の計時手段により計時された経過時間が所定の第１の時間値内である間は、制御手段は、ワイパのミストモードにおける払拭動作を禁止するように構成されている。
【０００４】
このような構成により、運転者がワイパを停止させようと、例えば、操作レバーを間欠モードの操作位置からオフの操作位置に操作した際に、当該操作位置を超えてミストモードの操作位置までオーバーランした場合であっても当該操作直後にはミストモードにおける払拭動作が禁止されるので、運転者が意図しないワイパ動作を防止することが可能となるとされている。
【先行技術文献】
【特許文献】
【０００５】
【特許文献１】特開２００６−１４５１号公報
【発明の概要】
【発明が解決しようとする課題】
【０００６】
しかし、従来の特許文献１のレバースイッチ装置等のレバースイッチ装置は、上記示した所定の第１の時間値（フィルタ時間）が一定の値に設定されているので、ユーザにより異なるスイッチ操作の癖に対応することができないという問題があった。
【０００７】
従って、本発明の目的は、ユーザのスイッチ操作の癖に対応し、ユーザの意図するスイッチ操作を可能とするレバースイッチ装置を提供することにある。
【課題を解決するための手段】
【０００８】
［１］本発明は、上記目的を達成するために、操作によりスイッチ部がオンオフ動作するレバー操作部と、前記レバー操作部のスイッチオン動作に対応して駆動される負荷回路部と、前記スイッチ部のスイッチオンにより前記負荷回路部を駆動する制御を行なう制御部と、を有し、前記制御部は、前記スイッチ部のスイッチオンが継続する期間が所定の時間以上の場合に前記負荷回路部を駆動するように設定されたフィルタ時間を備え、前記フィルタ時間は、前記レバー操作部の操作状態により補正されることを特徴とするレバースイッチ装置を提供する。
【０００９】
［２］前記フィルタ時間は、前記レバー操作部の操作時間に基づいて補正されることを特徴とする上記［１］に記載のレバースイッチ装置であってもよい。
【００１０】
［３］また、前記フィルタ時間は、前記負荷回路部の負荷駆動時間に基づいて補正されることを特徴とする上記［１］に記載のレバースイッチ装置であってもよい。
【発明の効果】
【００１１】
本発明によれば、ユーザのスイッチ操作の癖に対応し、ユーザの意図するスイッチ操作を可能とするレバースイッチ装置を提供することができる。
【図面の簡単な説明】
【００１２】
【図１】図１は、本発明の実施の形態に係るレバースイッチ装置の全体外観を示す平面図である。
【図２】図２は、本発明の実施の形態に係るレバースイッチ装置の構成を示す構成ブロック図である。
【図３】図３は、第１の実施の形態に係るレバースイッチ装置の動作例を示すタイミング図である。
【図４】図４は、第１の実施の形態に係るレバースイッチ装置の動作を示すフローチャートである。
【図５】図５は、第２の実施の形態に係るレバースイッチ装置の動作例を示すタイミング図である。
【図６】図６は、第２の実施の形態に係るレバースイッチ装置の動作を示すフローチャートである。
【図７】図７は、本発明の第３の実施の形態に係るレバースイッチ装置の構成を示す構成ブロック図である。
【発明を実施するための形態】
【００１３】
図１は、本発明の実施の形態に係るレバースイッチ装置の全体外観を示す平面図である。また、図２は、本発明の実施の形態に係るレバースイッチ装置の構成を示す構成ブロック図である。本発明の実施の形態に係るレバースイッチ装置１は、操作によりスイッチ部１２がオンオフ動作するレバー操作部であるワイパレバー１０と、ワイパレバー１０のスイッチオン動作に対応して駆動される負荷回路部であるリレー部３０、ワイパモータ４０と、スイッチ部１２のスイッチオンによりリレー部３０、ワイパモータ４０を駆動する制御を行なう制御部２０と、を有し、制御部２０は、スイッチ部１２のスイッチオンが継続する期間が所定の時間以上の場合にリレー部３０、ワイパモータ４０を駆動するように設定されたフィルタ時間Ｔ１を備え、フィルタ時間Ｔ１は、ワイパレバー１０の操作状態により補正されるように構成されている。
【００１４】
本発明の実施の形態に係るレバースイッチ装置は、ワイパレバー１０の操作時にスイッチ部１２でのオンオフ動作がチャタリング等により誤動作を抑制すると共に、操作者の操作の癖（レバー操作を速く行なう、または、ゆっくり行なう等）を学習して、フィルタ時間の補正をすることにより、ユーザの意図に合わせた操作を可能とし、また、意図しない負荷回路の動作を低減するものである。
【００１５】
レバースイッチ装置１は、図１に示すように、ワイパレバー１０が、車両のステアリングホイール５が接続されたステアリングコラムシャフト６を覆うステアリングコラム７の上部にターンレバー１００と共に取り付けられている。このワイパレバー１０とターンレバー１００は、ステアリングホイール５に対して左右に対称的に配置されているが、この配置は日本市場向けであり、欧米向け等の車両では、左右が逆の配置になっている。
【００１６】
ワイパレバー１０は、例えば、図１に示す回転支軸５０を中心に、ＯＦＦポジションを初期位置として、上方向にＭＩＳＴポジション、下方向にＡＵＴＯポジション、Ｌｏポジション、Ｈｉポジション、の操作位置に操作可能に構成されている。このワイパレバー１０は、操作者が、回転操作（レバーの傾倒操作）して上記の各ポジションへ操作した後に操作力を解除すると、ワイパレバー１０は、図示しないばね等の復帰力により自動的にＯＦＦポジション、すなわち、中立位置へ復帰する、いわゆる、モーメンタリスイッチ機構とされている。
【００１７】
スイッチ部１２は、例えば、ワイパレバー１０の操作に連動して接点が切り替わる機械式スイッチから構成されても良いし、ワイパレバー１０の操作を非接触で検出する磁気センサ等の非接触センサから構成されても良い。
【００１８】
制御部２０は、例えば、ＣＰＵ（Central Processing Unit）、ＲＡＭ（Random Access
Memory）及びＲＯＭ（Read Only Memory）等から構成されるマイクロコンピュータであり、記憶部２１を備えている。この記憶部２１には、制御プログラム、フィルタ時間Ｔ１（デフォルト値）等のパラメータが参照可能に記憶されている。また、ＣＰＵは、内部にタイマ機能等を備えて種々の演算処理が実行可能である。
【００１９】
図２に示すように、制御部２０は、スイッチ部１２と接続されており、ワイパレバー１０の操作はスイッチ部１２の操作信号Ｓｗとして制御部２０に入力される。また、制御部２０は、負荷回路部であるリレー部３０、ワイパモータ４０と接続されている。制御部２０から制御信号Ｓｃがリレー部３０に出力され、リレー部３０から電流駆動可能な駆動信号Ｓｄが出力されてワイパモータ４０を駆動する。これにより、ワイパブレードが駆動される。
【００２０】
（第１の実施の形態に係るレバースイッチ装置１の動作）
図３は、第１の実施の形態に係るレバースイッチ装置の動作例を示すタイミング図である。また、図４は、第１の実施の形態に係るレバースイッチ装置の動作を示すフローチャートである。
【００２１】
図３に示すように、スイッチ部１２のスイッチＯＮ、ＯＦＦに基づいて、リレー部３０のリレーＯＮ、ＯＦＦが制御される。時間ｔ１において、スイッチＯＦＦからスイッチＯＮとされ、このスイッチＯＮが時間ｔ３まで継続される場合について説明する。なお、図３に示すフィルタ時間Ｔ１は、スイッチ部１２のスイッチＯＮの継続時間が所定の時間以上の場合に所定の負荷回路部（リレー部３０、ワイパモータ４０）をオンするために設定される時間である。スイッチ操作時間Ｔ２は、スイッチ部１２がスイッチＯＮされてからスイッチＯＦＦされるまでの時間である。
【００２２】
図４に示すように、スイッチ操作時間開始がされると、まず、制御部２０は、スイッチ操作時間Ｔ２を計測する（Ｓｔｅｐ０１）。制御部２０は、内部のタイマ機能により、図３で示したスイッチ操作時間Ｔ２を計測する。スイッチ操作時間Ｔ２は、例えば、図１で示したＡＵＴＯスイッチのＯＦＦが確定してからＬｏスイッチのＯＮが確定するまでの時間である。制御部２０は、時間ｔ１の立ち上がりエッジでタイマオンし、時間ｔ３の立ち下がりエッジでタイマオフして、スイッチ操作時間Ｔ２を計測する。
【００２３】
時間ｔ３で、スイッチ操作が完了する（Ｓｔｅｐ０２）。
【００２４】
制御部２０は、スイッチ操作時間Ｔ２と保存時間の差が所定の時間以内かどうかを判断する（Ｓｔｅｐ０３）。本実施の形態では、所定の時間を、一例として、５０ｍｓとする。スイッチ操作時間Ｔ２と保存時間の差が５０ｍｓ以内の場合はＳｔｅｐ０４へ進み（Ｓｔｅｐ０３：Ｙｅｓ）、スイッチ操作時間Ｔ２と保存時間の差が５０ｍｓを超える場合はＳｔｅｐ０６へ進む（Ｓｔｅｐ０３：Ｎｏ）。ここで、保存時間は、記憶されている保存値である。
【００２５】
制御部２０は、スイッチ操作時間Ｔ２と保存時間の差が５０ｍｓ以内の場合は、保存値のままとする（Ｓｔｅｐ０４）。
【００２６】
制御部２０は、スイッチ操作時間Ｔ２と保存時間の差が５０ｍｓを超える場合は、平均処理をするために、内部カウンタをカウントアップする（Ｓｔｅｐ０５）。
【００２７】
制御部２０は、内部カウンタの結果に基づいて、カウント数が連続５回以上かどうかを判断する（Ｓｔｅｐ０５）。カウント数が連続５回以上の場合はＳｔｅｐ０７へ進み（Ｓｔｅｐ０６：Ｙｅｓ）、カウント数が連続５回未満の場合はＳｔｅｐ０４へ進む（Ｓｔｅｐ０６：Ｎｏ）。これにより、カウント数が連続５回未満の場合は保存値のままとされる（Ｓｔｅｐ０４）。なお、このカウント数は、任意に設定可能であり、カウント数５回は一例である。
【００２８】
制御部２０は、スイッチ操作時間Ｔ２と保存時間の差の５回の平均を算出する（Ｓｔｅｐ０７）。
【００２９】
制御部２０は、Ｓｔｅｐ０７で算出された平均値に基づいて、保存値を書き換える（Ｓｔｅｐ０８）。
【００３０】
制御部２０は、フィルタ時間を設定する（Ｓｔｅｐ０９）。すなわち、制御部２０は、最新の更新された保存値に合わせてフィルタ時間を補正する。例えば、保存値が大きい場合はそれに合わせてフィルタ時間を長くする。具体的には、制御部２０の記憶部２１にタイムテーブルを記憶させておき、そのタイムテーブルを参照することにより保存値に合わせてフィルタ時間を補正する。または、保存値に合わせてフィルタ時間を一定値で補正する。
【００３１】
このような補正により、ユーザのワイパレバー１０のスイッチ操作が長い場合は、フィルタ時間が長い時間に補正され、ユーザのワイパレバー１０のスイッチ操作が短い場合は、フィルタ時間が短い時間に補正される。前述したように、スイッチ操作時間Ｔ２は、例えば、図１で示したＡＵＴＯスイッチのＯＦＦが確定してからＬｏスイッチのＯＮが確定するまでの時間である。このスイッチ操作時間Ｔ２は、操作者の操作の癖によりある程度の時間幅をもってばらつくが、本実施の形態により、ユーザにより異なるスイッチ操作の癖を学習し、意図しない動作を低減できる。すなわち、負荷回路部であるリレー部３０、ワイパモータ４０の意図しない動作が低減でき、無駄な駆動が防止できるので、リレー等の耐久性が向上する等の効果を有する。
【００３２】
上記示した一連の動作により、フィルタ時間の補正が完了する。
【００３３】
（第２の実施の形態に係るレバースイッチ装置１の動作）
図５は、第２の実施の形態に係るレバースイッチ装置の動作例を示すタイミング図である。また、図６は、第２の実施の形態に係るレバースイッチ装置の動作を示すフローチャートである。
【００３４】
図５に示すように、スイッチ部１２のスイッチＯＮ、ＯＦＦに基づいて、リレー部３０のリレーＯＮ、ＯＦＦが制御される。時間ｔ１において、スイッチＯＦＦからスイッチＯＮとされ、このスイッチＯＮが時間ｔ３まで継続される場合について説明する。
【００３５】
図５に示すフィルタ時間Ｔ１は、スイッチ部１２のスイッチＯＮの継続時間が所定の時間以上の場合に所定の負荷回路部（リレー部３０、ワイパモータ４０）をオンするために設定される時間である。図５において、時間ｔ１以前にスイッチ部１２のスイッチのＯＮ、ＯＦＦが繰り返えされているが、これは例えばチャタリング等によるもので、フィルタ時間Ｔ１以内にスイッチＯＦＦとなるので、負荷回路部であるリレー部３０、ワイパモータ４０は駆動されないことになる。このように、フィルタ時間Ｔ１は、スイッチ操作による接点のバウンス（チャタリング）等による誤動作を抑制することができる。
【００３６】
負荷駆動時間Ｔ３は、制御部２０がスイッチＯＮを認識した時間ｔ２からスイッチＯＦＦを認識した時間ｔ３までの時間である。負荷駆動時間Ｔ３は、例えば、図１で示したＯＦＦスイッチの状態からＭＩＳＴスイッチをＯＮして、リレー部３０がＯＮしてからＭＩＳＴスイッチがＯＦＦになるまでの時間である。
【００３７】
図６に示すように、スイッチ操作時間開始がされると、まず、制御部２０は、スイッチＯＮを認識する（Ｓｔｅｐ１１）。例えば、図５で示すリレー部３０のスイッチＯＮ（図５の時間ｔ２）を認識する。
【００３８】
制御部２０は、内部のタイマ機能により、図５で示した負荷駆動時間Ｔ３を計測する（Ｓｔｅｐ１２）。すなわち、制御部２０は、時間ｔ２の立ち上がりエッジでタイマオンし、時間ｔ３の立ち下がりエッジでタイマオフして、負荷駆動時間Ｔ３を計測する。
【００３９】
制御部２０は、スイッチＯＦＦを認識する（Ｓｔｅｐ１３）。例えば、図１で示したＭＩＳＴスイッチのＯＦＦ（図５の時間ｔ３）を認識する。
【００４０】
制御部２０は、負荷駆動時間Ｔ３と保存時間の差が所定の時間以内かどうかを判断する（Ｓｔｅｐ１４）。本実施の形態では、所定の時間を、一例として、１００ｍｓとする。負荷駆動時間Ｔ３と保存時間の差が１００ｍｓ以内の場合はＳｔｅｐ１５へ進み（Ｓｔｅｐ１４：Ｙｅｓ）、負荷駆動時間Ｔ３と保存時間の差が１００ｍｓを超える場合はＳｔｅｐ１６へ進む（Ｓｔｅｐ１４：Ｎｏ）。ここで、保存時間は、記憶されている保存値である。
【００４１】
制御部２０は、負荷駆動時間Ｔ３と保存時間の差が１００ｍｓ以内の場合は、保存値のままとする（Ｓｔｅｐ１５）。
【００４２】
制御部２０は、負荷駆動時間Ｔ３と保存時間の差が１００ｍｓを超える場合は、平均処理をするために、内部カウンタをカウントアップする（Ｓｔｅｐ１６）。
【００４３】
制御部２０は、内部カウンタの結果に基づいて、カウント数が連続５回以上かどうかを判断する（Ｓｔｅｐ１７）。カウント数が連続５回以上の場合はＳｔｅｐ１８へ進み（Ｓｔｅｐ１７：Ｙｅｓ）、カウント数が連続５回未満の場合はＳｔｅｐ１５へ進む（Ｓｔｅｐ１７：Ｎｏ）。これにより、カウント数が連続５回未満の場合は保存値のままとされる（Ｓｔｅｐ１５）。なお、このカウント数は、任意に設定可能であり、カウント数５回は一例である。
【００４４】
制御部２０は、負荷駆動時間Ｔ３と保存時間の差の５回の平均を算出する（Ｓｔｅｐ１８）。
【００４５】
制御部２０は、Ｓｔｅｐ１８で算出された平均値に基づいて、保存値を書き換える（Ｓｔｅｐ１９）。
【００４６】
制御部２０は、フィルタ時間を設定する（Ｓｔｅｐ２０）。すなわち、制御部２０は、最新の更新された保存値に合わせてフィルタ時間を補正する。例えば、保存値が大きい場合はそれに合わせてフィルタ時間を長くする。具体的には、制御部２０の記憶部２１にタイムテーブルを記憶させておき、そのタイムテーブルを参照することにより保存値に合わせてフィルタ時間を補正する。または、保存値に合わせてフィルタ時間を一定値で補正する。
【００４７】
このような補正により、ユーザのワイパレバー１０のスイッチ操作が長く負荷駆動時間Ｔ３が長い場合は、フィルタ時間が長い時間に補正される。また、ユーザのワイパレバー１０のスイッチ操作が短く負荷駆動時間Ｔ３が短い場合は、フィルタ時間が短い時間に補正される。前述したように、負荷駆動時間Ｔ３は、例えば、図１で示したＯＦＦスイッチの状態からＭＩＳＴスイッチをＯＮして、リレー部３０がＯＮしてからＭＩＳＴスイッチがＯＦＦになるまでの時間である。この負荷駆動時間Ｔ３は、操作者の操作の癖によりある程度の時間幅をもってばらつくが、本実施の形態により、ユーザにより異なるスイッチ操作の癖を学習し、意図しない動作を低減できる。すなわち、負荷回路部であるリレー部３０、ワイパモータ４０の意図しない動作が低減でき、無駄な駆動が防止できるので、リレーの耐久性が向上する等の効果を有する。
【００４８】
上記示した一連の動作により、フィルタ時間の補正が完了する。
【００４９】
（第３の実施の形態）
図７は、本発明の第３の実施の形態に係るレバースイッチ装置の構成を示す構成ブロック図である。第３の実施の形態に係るレバースイッチ装置１は、第１、２の実施の形態におけるワイパレバー１０を、図１に示したターンレバー１００に置き換えたものである。以下の説明において、第１、２の実施の形態と重複する説明は省略する。
【００５０】
図７に示すように、制御部２００は、スイッチ部１２０と接続されており、ターンレバー１００の操作はスイッチ部１２０の操作信号Ｓｗとして制御部２００に入力される。また、制御部２００は、負荷回路部であるフラッシャリレー３００、方向指示灯４００と接続されている。制御部２００から制御信号Ｓｃがフラッシャリレー３００に出力され、フラッシャリレー３００から電流駆動可能な駆動信号Ｓｄが出力されて方向指示灯４００を駆動する。
【００５１】
ターンレバー１００は、操作者が、回転操作（レバーの傾倒操作）して各ポジションへ操作した後に操作力を解除すると、ターンレバー１００は、図示しないばね等の復帰力により自動的にニュートラルポジション、すなわち、中立位置へ復帰する、いわゆる、モーメンタリスイッチ機構とされている。このようなターンレバー１００の操作に伴うレバースイッチ装置の動作は、第１、２の実施の形態と同様とすることができる。
【００５２】
（実施の形態の効果）
本実施の形態においては、以下のような効果を有する。
（１）本実施の形態に係るレバースイッチ装置１は、操作によりスイッチ部１２がオンオフ動作するレバー操作部であるワイパレバー１０と、ワイパレバー１０のスイッチオン動作に対応して駆動される負荷回路部であるリレー部３０、ワイパモータ４０と、スイッチ部１２のスイッチオンによりリレー部３０、ワイパモータ４０を駆動する制御を行なう制御部２０と、を有し、制御部２０は、スイッチ部１２のスイッチオンが継続する期間が所定の時間以上の場合にリレー部３０、ワイパモータ４０を駆動するように設定されたフィルタ時間Ｔ１を備え、フィルタ時間Ｔ１は、ワイパレバー１０の操作状態により補正されるように構成されている。このフィルタ時間Ｔ１は、スイッチ操作による接点のバウンス（チャタリング）等による誤動作を抑制することができる。
（２）このフィルタ時間Ｔ１は、レバー操作部の操作時間に基づいて補正される。この第１の実施の形態に係る補正により、ユーザがワイパレバー１０のスイッチ操作が長い場合は、フィルタ時間が長い時間に補正され、ユーザがワイパレバー１０のスイッチ操作が短い場合は、フィルタ時間が短い時間に補正される。スイッチ操作時間Ｔ２は、例えば、図１で示したＡＵＴＯスイッチのＯＦＦが確定してからＬｏスイッチのＯＮが確定するまでの時間である。このスイッチ操作時間Ｔ２は、操作者の操作の癖によりある程度の時間幅をもってばらつくが、ユーザにより異なるスイッチ操作の癖を学習し、意図しない動作を低減できる。すなわち、負荷回路部であるリレー部３０、ワイパモータ４０の意図しない動作が低減でき、無駄な駆動が防止できるので、リレー等の耐久性が向上する等の効果を有する。
（３）また、フィルタ時間Ｔ１は、負荷回路部の負荷駆動時間に基づいて補正される。この第２の実施の形態に係る補正により、ユーザのワイパレバー１０のスイッチ操作が長く負荷駆動時間Ｔ３が長い場合は、フィルタ時間が長い時間に補正される。また、ユーザのワイパレバー１０のスイッチ操作が短く負荷駆動時間Ｔ３が短い場合は、フィルタ時間が短い時間に補正される。負荷駆動時間Ｔ３は、例えば、図１で示したＯＦＦスイッチの状態からＭＩＳＴスイッチをＯＮして、リレー部３０がＯＮしてからＭＩＳＴスイッチがＯＦＦになるまでの時間である。この負荷駆動時間Ｔ３は、操作者の操作の癖によりある程度の時間幅をもってばらつくが、ユーザにより異なるスイッチ操作の癖を学習し、意図しない動作を低減できる。すなわち、負荷回路部であるリレー部３０、ワイパモータ４０の意図しない動作が低減でき、無駄な駆動が防止できるので、リレーの耐久性が向上する等の効果を有する。
（４）上記（２）、（３）で示した効果は、第３の実施の形態でも同様である。すなわち、ユーザのターンレバー１００のスイッチ操作が長い場合は、フィルタ時間が長い時間に補正され、ユーザのターンレバー１００のスイッチ操作が短い場合は、フィルタ時間が短い時間に補正される。これにより、負荷回路部であるフラッシャリレー３００、方向指示灯４００の意図しない動作が低減でき、無駄な駆動が防止できるので、リレー等の耐久性が向上する等の効果を有する。
【００５３】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態及びその変形例は、発明の範囲及び要旨に含まれるとともに、特許請求の範囲に記載された発明とその均等の範囲に含まれる。
【符号の説明】
【００５４】
１…レバースイッチ装置
６…ステアリングコラムシャフト
７…ステアリングコラム
１０…ワイパレバー
１２…スイッチ部
２０…制御部
２１…記憶部
３０…リレー部
４０…ワイパモータ
５０…回転支軸
１００…ターンレバー
１２０…スイッチ部
２００…制御部
３００…フラッシャリレー
４００…方向指示灯
Ｓｃ…制御信号
Ｓｄ…駆動信号
Ｓｗ…操作信号
Ｔ１…フィルタ時間
Ｔ２…スイッチ操作時間
Ｔ３…負荷駆動時間
【図１】
2018049781.tif 000003
【図２】
2018049781.tif 000004
【図３】
2018049781.tif 000005
【図４】
2018049781.tif 000006
【図５】
2018049781.tif 000007
【図６】
2018049781.tif 000008
【図７】
2018049781.tif 000009